(57)【要約】【課題】ハードウェア的な選局動作の高速処理を行うことなく、簡便な操作で体感的に選局動作の高速化を図ることができるようにする。【解決手段】制御部２１は、タイマー２５からのクロック信号に基づいて、リモコン３２における切り替え操作の時間間隔を検出する。制御部２１はまた、その検出結果に基づいて、リモコン３２の操作に応じた番組表示または番組情報を表示させる制御を行う。より詳しくは、制御部２１は、所定の期間内に切り替え操作（リモコン３２の＋選局キーまたは−選局キーの操作）が連続して行われた場合には、ＧＵＩ処理部１７を制御して、複数のチャンネルの番組情報が表示された後述の番組情報表示画面をモニタ１８に表示させる。その場合、切り替え操作の時間間隔に応じてその番組情報表示画面に表示するチャンネルの数を変化させる制御を行う。【選択図】図１
2008131268.tif 000002
【特許請求の範囲】
【請求項１】
ユーザによって操作されたチャンネル番号の昇順または降順への切り替え指示を受信する受信部と、
前記受信部により受信した切り替え指示に応じた選局を行うチューナと、
前記受信部により受信した切り替え指示の時間間隔を検出する検出部と、
前記検出部によって検出された時間間隔が第１の所定の閾値以下の場合には、複数のチャンネルの番組情報が表示された番組情報表示画面を表示させると共に、前記時間間隔に応じて前記番組情報表示画面に表示するチャンネルの数を変化させる制御を行い、前記時間間隔が前記第１の所定の閾値を超えた場合には、前記チューナを用いた選局を行って前記切り替え指示に応じた特定のチャンネルの番組表示を行わせる制御を行う表示制御部と
を備えたことを特徴とする受信装置。
【請求項２】
前記表示制御部は、前記番組情報表示画面を、通常の番組表示の画面に重畳して表示させる制御を行う
ことを特徴とする請求項１に記載の受信装置。
【請求項３】
前記表示制御部は、前記切り替え指示の時間間隔が前記第１の所定の閾値よりも小さい第２の所定の閾値以下の場合には、前記番組情報表示画面に表示するチャンネルの数が元の表示よりも多くなるような制御を行う
ことを特徴とする請求項１に記載の受信装置。
【請求項４】
前記表示制御部はさらに、前記番組情報表示画面上で前記複数のチャンネルのうち特定のチャンネルの指定がなされたことを示す強調表示を行わせると共に、前記切り替え指示に応じて前記強調表示部分を前記番組情報表示画面上で移動可能に制御する機能を有する
ことを特徴とする請求項１に記載の受信装置。
【請求項５】
前記表示制御部は、前記番組情報表示画面を表示後、所定期間、ユーザからの指示がなかった場合には、前記番組情報表示画面の表示を終了すると共に、前記チューナを用いた選局を行って、前記強調表示が行われている部分に対応するチャンネルの番組表示を行わせる
ことを特徴とする請求項４に記載の受信装置。
【請求項６】
前記受信部は、前記複数のチャンネルのうちどのチャンネルを選局するかを決定する指示を受信する機能をさらに有し、
前記表示制御部は、前記番組情報表示画面を表示している期間内に前記決定の指示がなされた場合には、前記番組情報表示画面の表示を終了すると共に、前記チューナを用いた選局を行って、前記強調表示が行われている部分に対応するチャンネルの番組表示を行わせる
ことを特徴とする請求項４に記載の受信装置。
【請求項７】
ユーザによって操作されたチャンネル番号の昇順または降順への切り替え指示を受信する受信部と、前記受信部により受信した切り替え指示に応じた選局を行うチューナとを備えた受信装置における番組選択方法であって、
前記受信部により受信した切り替え指示の時間間隔を検出する検出ステップと、
前記検出ステップの検出結果に基づいて、前記切り替え指示に応じた番組表示または番組情報を表示させる制御を行う表示制御ステップと
を含み、
前記表示制御ステップは、
前記検出部によって検出された時間間隔が第１の所定の閾値以下の場合には、複数のチャンネルの番組情報が表示された番組情報表示画面を表示させると共に、前記時間間隔に応じて前記番組情報表示画面に表示するチャンネルの数を変化させる制御を行うステップと、
前記時間間隔が前記第１の所定の閾値を超えた場合には、前記チューナを用いた選局を行って前記切り替え指示に応じた特定のチャンネルの番組表示を行わせるステップとを含む
ことを特徴とする受信装置における番組選択方法。
【発明の詳細な説明】
【技術分野】
【０００１】
本発明は、特にデジタルＴＶ（テレビジョン）におけるチャンネル切り替え動作の改善に適した受信装置および受信装置における番組選択方法に関する。
【背景技術】
【０００２】
デジタルＴＶ放送においてはその主内容となる画像や音声だけでなく、番組の内容が記述される番組詳細説明情報やジャンル情報などさまざまな付帯情報も同時に伝送されている。デジタルＴＶ放送により多チャンネル化時代が到来すると、利用者（ユーザ）に望みの番組を簡単に選局させることが困難になったため、これまでの受信装置では上述の付帯情報を利用してＥＰＧ（電子番組情報）を提示したり、キーワードから番組内容を検索して提示したりといった機能を提案、実装してきた。ただ大多数のユーザはアナログＴＶ放送のチャンネル選択方法のように＋（プラス）方向、−（マイナス）方向のチャンネル移動から完全に脱却できていない。特許文献１および特許文献２には、ＥＰＧを用いてユーザが番組選択をしやすくする手法が提案されている。特許文献１では、番組をジャンルごとに複数の階層に細分化して区分すると共に、階層に応じて選局速度を可変にすることで、ユーザが選局しやすくしている。特許文献２では、チャンネル番号の昇順および降順への切り替えを行うアップダウンボタンの操作に応じて、番組情報を表示する手法を提案している。特に、アップダウンボタンが連続押しされた場合には、視聴中のチャンネルの番組表示画面を非表示にすると共に、その番組表示画面に代えて、視聴中のチャンネルとその前後の複数チャンネルの番組情報のリストを一覧表示するようにしている。この場合、アップダウンボタンの操作速度に関係なく、あらかじめ決められた一定のチャンネル数のリストを一覧表示する。
【特許文献１】特開２００１−４５３９１号公報
【特許文献１】特開２００４−２３５８４７号公報
【発明の開示】
【発明が解決しようとする課題】
【０００３】
しかしながら、現状のデジタルＴＶ用の受信装置では、アナログ放送用の受信装置に比べてハードウェア的に選局処理に時間が掛かるため、チャンネルの切り替えにかなりの時間を要する。このため、実際に選局を行いながらユーザが好みの番組を探すときには、選局後の番組がユーザにとって必要のないものであればまた時間を掛けて選局動作を行うことになり、ユーザにストレスを与えてしまっている。チャンネルの切替時間（選局時間）を高速化するためには、ハードウェアを高速化する必要があるが、現状では技術的に難しく、かつ商品価格が高騰することが予想されている。特許文献１および特許文献２では、ＥＰＧを用いて選局動作の改善を図っているが、操作の簡便性に欠けている。特に特許文献１では、番組のジャンルが深く階層化されているため、好みの番組を探すまでに時間が掛かる。また、特許文献２では、アップダウンボタンの操作速度に関係なく（ユーザが急いで選局のための操作を行っているか否かに関係なく）、あらかじめ決められた一定のチャンネル数のリストを一覧表示しているので、利便性に欠ける。
【０００４】
本発明はかかる問題点に鑑みてなされたもので、その目的は、ハードウェア的な選局動作の高速処理を行うことなく、簡便な操作で体感的に選局動作の高速化を図ることができるようにした受信装置および受信方法を提供することにある。
【課題を解決するための手段】
【０００５】
本発明による受信装置は、ユーザによって操作されたチャンネル番号の昇順または降順への切り替え指示を受信する受信部と、受信部により受信した切り替え指示に応じた選局を行うチューナと、受信部により受信した切り替え指示の時間間隔を検出する検出部と、検出部によって検出された時間間隔が第１の所定の閾値以下の場合には、複数のチャンネルの番組情報が表示された番組情報表示画面を表示させると共に、時間間隔に応じて番組情報表示画面に表示するチャンネルの数を変化させる制御を行い、時間間隔が第１の所定の閾値を超えた場合には、チューナを用いた選局を行って切り替え指示に応じた特定のチャンネルの番組表示を行わせる制御を行う表示制御部とを備えたものである。
【０００６】
本発明による受信装置における番組選択方法は、ユーザによって操作されたチャンネル番号の昇順または降順への切り替え指示を受信する受信部と、受信部により受信した切り替え指示に応じた選局を行うチューナとを備えた受信装置における番組選択方法であって、受信部により受信した切り替え指示の時間間隔を検出する検出ステップと、検出ステップの検出結果に基づいて、切り替え指示に応じた番組表示または番組情報を表示させる制御を行う表示制御ステップとを含み、表示制御ステップが、検出部によって検出された時間間隔が第１の所定の閾値以下の場合には、複数のチャンネルの番組情報が表示された番組情報表示画面を表示させると共に、時間間隔に応じて番組情報表示画面に表示するチャンネルの数を変化させる制御を行うステップと、時間間隔が第１の所定の閾値を超えた場合には、チューナを用いた選局を行って切り替え指示に応じた特定のチャンネルの番組表示を行わせるステップとを含むものである。
【０００７】
本発明による受信装置または受信装置における番組選択方法では、切り替え指示の時間間隔が第１の所定の閾値以下の場合には、複数のチャンネルの番組情報が表示された番組情報表示画面を表示させる。この場合において、番組情報表示画面に表示するチャンネルの数は、切り替え指示の時間間隔に応じて変化させる。一方、切り替え指示の時間間隔が第１の所定の閾値を超えた場合には、チューナを用いた選局を行って指示に応じた特定のチャンネルの番組表示が行われる。
【発明の効果】
【０００８】
本発明の受信装置または受信装置における番組選択方法によれば、チャンネル番号の昇順または降順への切り替え指示が短期間に連続して行われた場合に、すぐには選局せず、複数のチャンネルの番組情報を表示し、かつその番組情報として表示するチャンネルの数を、切り替え操作の時間間隔に応じて変化させるようにしたので、ハードウェア的な選局動作の高速処理を行うことなく、簡便な操作で体感的に選局動作の高速化を図ることができる。例えば、切り替え操作の時間間隔が短いほど番組情報を表示するチャンネルの数が多くなるようにすることで、ユーザの体感的な選局速度を高めることができる。
【発明を実施するための最良の形態】
【０００９】
以下、本発明の実施の形態について図面を参照して詳細に説明する。
図１は、本発明の一実施の形態に係る受信装置の一構成例を示している。この受信装置は、チューナ１１と、デスクランブラ１２と、デマルチプレクサ１３と、ＭＰＥＧデコーダ１４と、映像信号処理部１５と、音声信号処理部１６と、ＧＵＩ（Graphical User Interface）処理部１７と、モニタ１８とを備えている。この受信装置はまた、制御部２１と、ＲＯＭ（Read Only Memory）２２と、ＲＡＭ（Random Access Memory）２３と、操作入力処理部２４と、タイマー２５と、リモコン３２とを備えている。チューナ１１はアンテナ３１に接続されている。この受信装置における主要な構成ブロックは、内部バス１９に接続されている。
【００１０】
この受信装置は、デジタル放送、例えばＭＰＥＧ−２（Moving Picture Expert Group-phase2） ＴＳ（Transport Stream）形式の地上デジタル放送を受信する機能を有している。チューナ１１は、アンテナ３１で受信したデジタル放送信号波を選局してＴＳ信号に復調する機能を有している。デスクランブラ１２は、暗号化されているＴＳ信号を復号化する機能を有している。デマルチプレクサ１３は、復号化されたＴＳ信号を、映像信号、音声信号、およびＥＰＧ情報等の各ストリームに分離する機能を有している。ＭＰＥＧデコーダ１４は、分離されたストリームのうちＭＰＥＧ形式でエンコードされているストリームをデコードする機能を有している。デコードされた映像および音声のストリームはそれぞれ、映像信号処理部１５および音声信号処理部１６で所定の処理を施されてモニタ１８に出力される。
【００１１】
モニタ１８は、ユーザが実際に視聴する番組の映像や、各種の設定画面などを表示する部分であり、液晶ディスプレイやプラズマディスプレイ等で構成されている。ＧＵＩ処理部１７は、制御部２１の制御の下で、モニタ１８に表示する画面内容のグラフィック制御を行うものであり、例えば、通常の番組表示の画面に重畳して後述の番組情報表示画面６０（図３、図４）を表示させるためのグラフィック制御を行うようになっている。
【００１２】
リモコン３２は、ユーザによって操作され、ユーザによる番組選択等に関する指示を受け付ける操作部としての機能を有している。リモコン３２は、チャンネル番号の昇順または降順への切り替え指示を行う切替部を有している。切替部としては、例えば図２にその要部構成を示したように、チャンネル番号を昇順に切り替えるための“＋”選局キー４１、チャンネル番号を降順に切り替えるための“−”選局キー４２、および後述の番組情報表示画面６０（図３、図４）において選局するチャンネルの決定を行う決定キー４３を有している。その他、図示しないが、一般的なＴＶ用リモコンが備える基本的な操作ボタンおよび操作キー（電源ボタン、音量調節ボタン、チャンネル選択用テンキー等）を有している。リモコン３２は、操作キーの押下に応じて例えば赤外線による操作信号を発するようになっている。操作入力処理部２４は、例えば赤外線センサを有し、リモコン３２からの操作信号を受信し、操作ボタンおよび操作キーの種別等を識別するようになっている。
【００１３】
ＲＯＭ２２には、この受信装置を制御するための各種プログラムが格納されている。制御部２１は、ＣＰＵ（Central Processing Unit）を有し、ＲＡＭ２３をワーキングエリアとしてＲＯＭ２２に格納された各種プログラムを実行し、この受信装置の各部の制御を行うようになっている。タイマー２５は、一定間隔のクロック信号を発生させるようになっている。
【００１４】
制御部２１は、タイマー２５からのクロック信号に基づいて、リモコン３２における切り替え操作の時間間隔（操作入力処理部２４で受信したリモコン３２からの切り替え指示を示す信号の時間間隔）等を検出する機能を有している。制御部２１はまた、その検出結果に基づいて、リモコン３２の操作に応じた番組表示または番組情報を表示させる制御を行う機能を有している。より詳しくは、制御部２１は、所定の期間内に切り替え操作（＋選局キー４１または−選局キー４２の操作）が連続して行われた場合、より具体的には、操作入力処理部２４で受信したリモコン３２からの切り替え指示を示す信号の時間間隔が第１の所定の閾値以下（例えば５００ｍｓｅｃ以下）の場合には、ＧＵＩ処理部１７を制御して、複数のチャンネルの番組情報が表示された後述の番組情報表示画面６０（図３、図４）をモニタ１８に表示させると共に、切り替え操作の時間間隔（操作入力処理部２４で受信した操作・指示信号の時間間隔）に応じてその番組情報表示画面６０に表示するチャンネルの数を変化させる制御を行う機能を有している。制御部２１はまた、所定の期間内に切り替え操作が連続して行われなかった場合、より具体的には、操作入力処理部２４で受信したリモコン３２からの切り替え指示を示す信号の時間間隔が第１の所定の閾値を超える（例えば５００ｍｓｅｃを超える）場合には、チューナ１１を用いた選局を行ってリモコン３２の指示に応じた特定のチャンネルの番組表示を行わせる機能を有している。
【００１５】
本実施の形態において、主として、制御部２１およびＧＵＩ処理部１７が、本発明における「表示制御部」の一具体例に対応し、それらによって本発明における「表示制御部」の各機能が実行される。操作入力処理部２４は、本発明における「受信部」の一具体例に対応する。また、制御部２１およびタイマー２５は、本発明における「検出部」の一具体例に対応する。
【００１６】
図３および図４は、番組情報表示画面の一例を示している。
番組情報表示画面６０は、ＧＵＩ（Graphical User Interface）状の画面であり、通常の番組表示画面（メイン画面）５０に重畳して表示されるようになっている。番組情報表示画面６０には、番組情報として例えば、チャンネル番号６１と、それに対応する放送局名および番組名６２とが複数のチャンネル数分、表示されるようになっている。なお、番組情報は、受信したＴＳ信号に含まれている。図３の表示例では、縦方向に３つのチャンネル分の番組情報をチャンネル番号順に並列的に表示している。また、図４の表示例では、５つのチャンネル分の番組情報を表示している。番組情報表示画面６０にはまた、現在の切り替え操作が昇順方向であるか降順方向であるかを示すカーソル６３が表示されている。図３では、連続して押されたキーが＋選局キー４１で、昇順方向に切り替え操作が行われている例を示し、図４では、連続して押されたキーが−選局キー４２で、降順方向に切り替え操作が行われている例を示している。
【００１７】
制御部２１は、＋選局キー４１または−選局キー４２の押下が所定の期間内に連続して行われた場合、より具体的には、操作入力処理部２４で受信した＋選局キー４１または−選局キー４２の押下を示す信号の時間間隔が第１の所定の閾値以下（例えば５００ｍｓｅｃ以下）である場合には、切り替え操作が連続して行われたと判断し、ＧＵＩ処理部１７を制御して番組情報表示画面６０を表示させるようになっている。また、制御部２１は、切り替え操作（＋選局キー４１の連続的な押下または−選局キー４２の連続的な押下）の時間間隔が短いほど、番組情報表示画面６０に表示するチャンネル数が多くなるような制御を行うようになっている。例えば、あらかじめ第１の所定の閾値（例えば５００ｍｓｅｃ）と第１の所定の閾値よりも値の小さい第２の所定の閾値（例えば２００ｍｓｅｃ）とを設定しておく。そして、切り替え操作が第２の所定の閾値以内に連続して行われた場合（操作入力処理部２４で受信した切り替え指示信号の時間間隔が第２の所定の閾値以下である場合）には５つのチャンネル分の番組情報を表示（図４）させ、第２の所定の閾値を超え、かつ第１の所定の閾値以内に連続して行われた場合（操作入力処理部２４で受信した切り替え指示号の時間間隔が第２の所定の閾値を超え、かつ第１の所定の閾値以下である場合）には３つのチャンネル分の番組情報を表示（図３）させるような制御を行う。これにより、相対的に速く切り替え操作が行われた場合に、より多くのチャンネル数分の情報が表示されるようにしている。
【００１８】
なお、３つ以上の閾値を設定して、表示形態を３つ以上に変えるようにしても良い。なお、図３および図４では、表示するチャンネルの数が比較的少ない例であるために、所定数のチャンネルの番組情報を同時に表示しているが、表示するチャンネル数をより多く設定した場合には、すべてのチャンネルの番組情報を画面上に同時に表示できなくなることも考えられる。その場合には、番組情報表示画面６０に矢印マークやスクロールバー等を表示し、スクロール表示を行わせるようにしても良い。その場合、スクロール操作は、＋選局キー４１および−選局キー４２を用いて行うことができる。
【００１９】
制御部２１はまた、ＧＵＩ処理部１７を制御して、番組情報表示画面６０上で複数のチャンネルのうち特定のチャンネルの指定がなされたことを示す強調表示（フォーカス表示）を行わせると共に、＋選局キー４１および−選局キー４２の操作に応じて、その強調表示部分を番組情報表示画面６０上で移動可能に制御する機能を有している。図３では１０１ｃｈ、図４では１０３ｃｈの部分が強調表示されている。なお、強調表示されている部分を移動させただけでは実際の選局（チャンネル変更）は行われず、メイン画面５０には、番組情報表示画面６０を表示する前に視聴していた番組が表示され続けている。制御部２１は、番組情報表示画面６０を表示している期間内に、リモコン３２の決定キー４３が操作された場合（操作入力処理部２４が、決定キー４３が押されたことを示す信号を受信した場合）には、番組情報表示画面６０の表示を終了し、チューナ１１を用いた実際の選局を行って、強調表示が行われている部分に対応するチャンネルの番組表示を行わせるようになっている。また、制御部２１は、番組情報表示画面６０を表示後、所定期間（例えば５００ｍｓｅｃ）、リモコン３２の操作がなかった場合には、番組情報表示画面６０の表示を終了し、チューナ１１を用いた実際の選局を行って、強調表示が行われている部分に対応するチャンネルの番組表示を行わせるようになっている。
【００２０】
次に、この受信装置の動作、特に番組選択に関わる動作を説明する。
図５は、この受信装置における番組選択に関わる動作の一具体例を示している。この受信装置では、通常の番組視聴時には、チューナ１１によって選局された１つの番組がモニタ１８のメイン画面５０に表示されている。ここで選局されているのは例えば、前回、電源オフ時に視聴されていたチャンネルの番組や、電源投入時にリモコン３２の図示しないチャンネル選択用テンキーなどによりユーザによって直接選択された番組である。この状態で、制御部２１は、操作入力処理部２４を介して＋選局キー４１または−選局キー４２（図２）のキー入力があるか否かを監視している（ステップＳ１１）。制御部２１は、キー入力があった場合（ステップＳ１１：Ｙ）には、前回押されたキーと同じであるか否かを判断する（ステップＳ１２）。例えば前回押されたキーが＋選局キー４１であれば、再度＋選局キー４１が押されたか否かを判断する。制御部２１は、前回押されたキーと違うと判断した場合（ステップＳ１２：Ｎ）にはステップＳ１１の処理に戻る。
【００２１】
制御部２１は、前回押されたキーと同じであると判断した場合（ステップＳ１２：Ｙ）には、タイマー２５を用いて、前回のキー入力時からどれくらいの時間が経過しているかを計測する（ステップＳ１３，Ｓ１４）。制御部２１は、前回のキー入力時からの経過時間が第２の所定の閾値以内（例えば２００ｍｓｅｃ以内）であると判断した場合（ステップＳ１３：Ｙ）には、ＧＵＩ処理部１７を制御して、番組情報表示画面６０として、例えば５つのチャンネル分の番組情報をモニタ１８に表示（図４）させる（ステップＳ１５）。また、制御部２１は、前回のキー入力時からの経過時間が第２の所定の閾値を超え（ステップＳ１３：Ｎ）、かつ第１の所定の閾値以内（例えば５００ｍｓｅｃ以内）であると判断した場合（ステップＳ１４：Ｙ）には、ＧＵＩ処理部１７を制御して、番組情報表示画面６０として、例えば３つのチャンネル分の番組情報をモニタ１８に表示（図３）させる（ステップＳ１６）。これらの場合において、制御部２１は、メイン画面５０には現在視聴中の番組をそのまま動画として表示し続け、さらにその上に重畳して、図３または図４に示したような番組情報表示画面６０のグラフィック表示が行われるような制御を行う。
【００２２】
制御部２１は、前回のキー入力時からの経過時間が第１の所定の閾値を超えたと判断した場合（ステップＳ１４：Ｎ）には、番組情報表示画面６０の表示は行わずに、チューナ１１を用いた通常の選局を行い（ステップＳ１９）、ステップＳ１１の処理に戻る。例えば、現在表示されているチャンネルが１０１ｃｈで、＋選局キー４１のキー入力があった場合には、１０２ｃｈの選局を行う。
【００２３】
また、制御部２１は、番組情報表示画面６０を表示している状態（ステップＳ１５，Ｓ１６）において、所定期間内（例えば５００ｍｓｅｃ以内）にリモコン３２の決定キー４３が押されたか否かを、タイマー２５を用いて判断する（ステップＳ１７，Ｓ１８）。制御部２１は、所定期間内にリモコン３２の決定キー４３が押されたと判断した場合（ステップＳ１７：Ｙ，ステップＳ１８：Ｎ）には、番組情報表示画面６０の表示を終了し、チューナ１１を用いた実際の選局を行う（ステップＳ１９）。この場合、制御部２１は、決定キー４３が押されたときに番組情報表示画面６０上で強調表示が行われている部分に対応するチャンネルの選局を行わせる。一方、所定期間内に決定キー４３の操作がなかった場合（ステップＳ１７：Ｎ，ステップＳ１８：Ｙ）には、番組情報表示画面６０の表示を終了し、チューナ１１を用いた実際の選局を行う（ステップＳ１９）。この場合、制御部２１は、番組情報表示画面６０の終了時に番組情報表示画面６０上で強調表示が行われている部分に対応するチャンネルの選局を行わせる。
【００２４】
以上説明したように、本実施の形態に係る受信装置およびその受信装置における番組選択方法によれば、ユーザが昇順方向あるいは降順方向の選局操作（＋選局キー４１または−選局キー４２の押下）を短期間に連続して行った場合には、すぐには実際の選局を行わずに、まず選局対象となる番組一覧を番組情報表示画面６０として表示し、かつその番組情報として表示するチャンネルの数を、選局操作の速度（キー押下の時間間隔）に応じて変化させるようにしたので、ハードウェア的な選局動作の高速処理を行うことなく、簡便な操作で体感的に選局動作の高速化を図ることができる。また、番組情報表示画面６０上で複数のチャンネルのうち特定のチャンネルの指定がなされたことを示す強調表示（フォーカス表示）を行わせると共に、その強調表示部分を番組情報表示画面６０上で移動可能とし、かつ、その強調表示されている部分を移動させただけでは実際の選局（チャンネル変更）を行わずに、所定の条件を満たす場合（決定キー４３が操作されるか、所定期間、何も操作が無い場合等）にのみチューナ１１を用いた実際の選局動作を行うようにしたので、ハードウェア的な負担を減らして体感的に選局動作の高速化を図ることができる。
【００２５】
本実施の形態によれば、番組情報表示画面６０を表示するときに特別なキーではなく一般のＴＶリモコンとして装備されている選局キーをそのまま使用しているので、操作に関してハードウェア的な追加コストは不要である。また、番組情報表示画面６０を表示させたときと同種類の選局キーを使って任意のチャンネルへと移動できるようにしたので、操作が簡便である。また、番組情報表示画面６０に表示するのは深い階層構造を持った番組情報ではなく、簡易な番組情報の一覧のみを表示させているので、選局後どの番組を見ることができるのかをユーザに瞬間的に認知させ、かつ必要のない番組は画面上で高速にスキップさせることが可能であり、見たい番組が定まってから容易に選局を行うことができる。以上の説明で明らかなように、ユーザはこれまで慣れ親しんできた選局キーによる選局スタイルを変えることなしに、選局動作の遅さを気にすることなく選局が行えるようになり、デジタル放送の多数の番組の中から望みの番組へ簡便な操作で選局することができる。
【００２６】
なお、本発明は、上記実施の形態に限定されず、種々の変形実施が可能である。
例えば、以上の説明では、チャンネルの表示形態が一般的である場合について述べてきたが、特定範囲のチャンネルのみを表示するような設定となっている場合であっても本発明は適用可能である。例えば、ユーザが登録したキーワードもしくはジャンルでＥＰＧから検索した結果得られた範囲のチャンネルに関する情報のみを、番組情報表示画面６０に表示するようにしても良い。この場合であっても、そのチャンネル範囲内で上述した場合と同様の表示をすれば良い。
【００２７】
また、図３および図４の表示例では、番組情報表示画面６０において、チャンネル番号６１、放送局名、番組名６２を表示するようにしたが、さらにそのチャンネルに関する別の情報を表示するようにしても良い。例えば映画、ドラマ、ニュース等を表す番組のジャンルの情報やユーザの嗜好度に関する情報等を表示するようにしても良い。
【図面の簡単な説明】
【００２８】
【図１】本発明の一実施の形態に係る受信装置の一構成例を示すブロック図である。
【図２】リモコンの要部構成の一例を示す平面図である。
【図３】番組情報表示画面の第１の表示態様を示す説明図である。
【図４】番組情報表示画面の第２の表示態様を示す説明図である。
【図５】本発明の一実施の形態に係る受信装置における番組選択方法の一例を示す流れ図である。
【符号の説明】
【００２９】
１１…チューナ、１２…デスクランブラ、１３…デマルチプレクサ、１４…ＭＰＥＧデコーダ、１５…映像信号処理部、１６…音声信号処理部、１７…ＧＵＩ処理部、１８…モニタ、１９…内部バス、２１…制御部、２２…ＲＯＭ、２３…ＲＡＭ、２４…操作入力処理部、２５…タイマー、３１…アンテナ、３２…リモコン、４１…＋キー、４２…−キー、４３…決定キー、５０…番組表示画面（メイン画面）、６０…番組情報表示画面、６１…チャンネル番号、６２…番組名、６３…カーソル。
【図１】
2008131268.tif 000003
【図２】
2008131268.tif 000004
【図３】
2008131268.tif 000005
【図４】
2008131268.tif 000006
【図５】
2008131268.tif 000007